(57)【要約】【課題】  従来、屋上庭園用の人工地盤は、各資材を屋上等に搬入し、屋上で人工地盤を施工するため、施工作業が大掛かりとなるだけでなく、施工コストも高価となっていた。【解決手段】  本発明は、裁断された古紙と、粉状および／又は裁断された木材屑と、腐葉土を混合してなることを特徴とする人工土壌であり、再生資材を有効利用すると共に、土壌の軽量化を図っている。また、これに石灰を加えて人工土壌の殺菌・殺虫作用をもたせている。また、植物栽培用容器に、発泡粒よりなる透水層、透水性シート、人工土壌、植物を植栽した表土層を順次積層したことを特徴としており、容易に持ち運びができ、施工が簡単な人工土壌を用いた緑化方法である。【選択図】  図１
2005237256.tif 000002
【特許請求の範囲】
【請求項１】
裁断された古紙と、粉状および／又は裁断された木材屑と、腐葉土に、水を加えて攪拌した後、脱水及び乾燥したことを特徴とする人工土壌。
【請求項２】
前記人工土壌には石灰が加えられていることを特徴とする請求項１記載の人工土壌。
【請求項３】
植物の栽培用容器に、発泡粒よりなる透水層を設け、該透水層の上部に前記人工土壌を配設し、該人工土壌の上部に植物を植栽した表土層を配設したことを特徴とする請求項１〜２いずれかに記載の人工土壌を用いた緑化方法。
【請求項４】
前記透水層と、前記人工土壌との間に、透水性シートを配設したことを特徴とする請求項３記載の人工土壌を用いた緑化方法。
【発明の詳細な説明】
【技術分野】
【０００１】
本発明は、建物の屋上等に設置する人工庭園等の施工において、再生資材を用いた人工土壌及びその人工土壌を用いた緑化方法に関するものである。
【背景技術】
【０００２】
近年、都市環境問題やアメニティ化を背景として、屋上に樹木等の植物を植栽する屋上庭園が注目されている。屋上やテラス等の建造物を便宜的に緑に囲まれた環境にするための方法として、例えば、芝を植栽した、腐葉土、砂、培養土等を所定の割合で混合した改良土の層と、親水性と保水性を有する発泡プラスチック層と、芝の根の貫通を防ぎ且つ透水性のあるフィルターを上から順に配置し、それらを収容する、ポリスチレン等の汎用プラスチックの発泡ビーズを接着剤で結合した透水性のある発泡プラスチック容器からなるユニット芝が開示されている（例えば、特許文献１参照。）。
【０００３】
また、屋上庭園用の人工地盤の軽量化を図り、土壌流出を防止すると共に、長期に渡って良好な排水性を確保でき、階下の温度の影響も防止できる人工地盤として、建物の屋上において、屋上スラブの上に、通水性シートよりなる袋に合成樹脂の発泡粒を充填した袋詰め体を層状に配置し、その上に不織布等の透水性シートを敷設すると共に、この透水性シート上に客土層を設けた屋上庭園用の人工地盤が開示されている（例えば、特許文献２参照。）。
【０００４】
また、軽量で容易に施工ができ、しかも植物の根の発育を阻害しない人工庭園を造園できる方法として、培養土は、樹皮が繊維状に粉砕されて形成され、培養土は、屋上等の人工地盤上に隙間なく敷きつめられて栽培地層が形成され、培養土は、杉又は檜の樹皮を繊維状に粉砕して形成でき、培養土をブロック状に固めてなる培養土ブロックを準備し、複数個の培養土ブロックを人工地盤上に敷いて栽培地層を形成する、人工庭園造園方法が開示されている（特許文献３参照。）。
【特許文献１】実用新案登録第２５５６９２７号公報
【特許文献２】実開平５−８５２３３号公報
【特許文献３】特開平７−１８４４６８号公報
【発明の開示】
【発明が解決しようとする課題】
【０００５】
しかしながら、特許文献１に示すユニット芝においては、改良土が腐葉土と砂と培養土等を所定の割合で混合したものであり、従来から用いられている園芸用用土と殆ど変わりがなく重量も重いものである。これを改善するために、改良土の量を減らして、発泡プラスチック層を多くすることにより軽量化を図っているが、改良土の層が浅くなるため、芝生或いは背丈の低い草木に用途が限定されていた。
【０００６】
また、特許文献２に示す屋上庭園用の人工地盤は、屋上スラブ等の上に直接施工したもので、合成樹脂の発泡粒を充填した袋詰め体を層状に配置し、その上に不織布等の透水性シートを敷設すると共に、この透水性シート上に客土層を設けたものである。しかしならこの工法では、それぞれの資材を屋上等に搬入し、屋上で人工地盤を施工するため、施工作業が大掛かりとなるだけでなく、施工コストも高価となっていた。
【０００７】
また、特許文献３に示す人工造園方法は、樹皮を繊維状に粉砕したもののみを培養土とすることを特徴としている。しかしながら、樹皮のみを大量に収集することは、樹木という天然資源の伐採を促進することになるので、地球環境保護という観点から問題がある。
【課題を解決するための手段】
【０００８】
本発明はこれらの課題を解決するためになされたものであり、請求項１では、裁断された古紙と、粉状および／又は裁断された木材屑と、腐葉土に、水を加えて攪拌した後、脱水及び乾燥したことを特徴とする人工土壌としている。また、請求項２では、前記人工土壌には石灰が加えられていることを特徴としている。また、請求項３では、植物栽培用容器に、発泡粒よりなる透水層を設け、該透水層の上部に前記人工土壌を配設し、該人工土壌の上部に植物を植栽した表土層を配設したことを特徴とする人工土壌を用いた緑化方法である。また、請求項４では、前記透水層と、前記人工土壌との間に、透水性シートを配設したことを特徴とする人工土壌を用いた緑化方法である。
【発明の効果】
【０００９】
本発明の請求項１は、裁断された古紙と、粉状および／又は裁断された木材屑と、腐葉土に、水を加えて攪拌した後、脱水及び乾燥した人工土壌である。古紙は、近年大量に消費・廃棄されている新聞紙等を再利用し、木材屑は、製材屑や樹皮等を再利用しているため、地球環境を保護するための有効な方策となる。また、古紙や木材屑は繊維質であり、保水性と通気性に優れ、軽量であるため、建物の屋上などを緑化する場合に問題となる重量を低減させることができる。また、請求項２では、前記人工土壌に石灰が加えられている。石灰は、木材屑や腐葉土等に発生する細菌や害虫を殺菌・殺虫する効力があるため、非常に有効である。
【００１０】
また、請求項３では、植物の栽培用容器に、発泡粒よりなる透水層を設け、該透水層の上部に前記人工土壌を配設し、該人工土壌の上部に植物を植栽した表土層を配設したことを特徴とする人工土壌を用いた緑化方法である。植物を栽培する土壌を、透水層と人工土壌と表土層の三層に積層することで、植物に必要な保水性、排水性、通気性等をもたせると共に軽量化を図っている。また、容易に持ち運びができる寸法の栽培用容器に植物を植栽しているので、建物の屋上等の緑化工事が、簡単且つ短期間で施工することができる。また、請求項４では、前記透水層と、前記人工土壌との間に、透水性シートを配設している。これにより、透水層と人工土壌とは透水性シートで遮られることになり、透水層の持つ保水性と断熱性が保持される。また、透水性シートより上部（透水性シート、人工土壌及び芝生が植栽されている表土層）を剥離することにより、芝生マットを作ることができる。
【発明を実施するための最良の形態】
【００１１】
以下、本発明の実施形態について詳細に説明するが、本発明はこれらの実施形態に限定されるものではなく、要旨を逸脱しない範囲において適宜変更が可能なものである。本発明の第一実施形態では、古紙と木材屑に腐葉土を混合してなる人工土壌２としている。古紙としては、近年、大量に消費・廃棄されている新聞紙、雑誌、コピー済用紙、広告用紙等が、主に天然木材のパルプ（セルローズ）を使用していることに着目し、使用済の紙を再利用して、軽量、安価で保水性と通気性とを兼ね備えた植物栽培地材としている。また、木材屑としては、製材屑（端材および粉状）、カンナ屑、樹皮等が、繊維質であり、通気性がよく新鮮な空気が根に充分ゆきわたり、根張りが良くなって生育が促進されることに着目し、従来は廃棄されていたこれらの資材を再利用している。
【００１２】
古紙は、幅３ｍｍ、長さ３０ｍｍ程度に裁断する。木材屑については、粉状の製材屑はそのまま用い、カンナ屑は５０〜８０ｍｍに裁断し、端材や樹皮等については３ｍｍ〜８ｍｍに破砕する。次に裁断または破砕された古紙と木材屑と腐葉土とを重量比で１：１：２の割合で攪拌機に投入し、適量の水を加えながら攪拌した後、約１週間水槽内で水漬けする。次に脱水機で水分を取り除きブルーシート等に解きほぐしながら広げて乾燥させる。自然乾燥の場合は晴天であれば約３日で乾燥し人工土壌２となる。なお、前記した古紙と木材屑と腐葉土との割合は、適宜変更することが可能であり、例えば、全体を１００％とした場合、古紙を１０％〜４０％、木材屑を４０％〜１０％、腐葉土を５０％としてもよい。また、腐葉土の比率を減少させることも可能であり、古紙を１０％〜６０％、木材屑を６０％〜１０％、腐葉土を３０％〜５０％とすることができる。
【００１３】
第二実施形態では、樹皮や腐葉土等に発生する細菌や害虫を駆除するために、第一実施形態の人工土壌に石灰を加えている。すなわち、古紙は、幅３ｍｍ、長さ３０ｍｍ程度に裁断し、木材屑は粉状の製材屑はそのまま用い、カンナ屑は５０〜８０ｍｍに裁断し、端材や樹皮等については３ｍｍ〜８ｍｍに破砕する。次に古紙と木材屑と腐葉土と石灰とを重量比で１：１：２：０．４の割合で攪拌機に投入し、水を加えながら攪拌した後、約１週間水槽で水漬けする。次に脱水機で水分を取り除き乾燥させる。自然乾燥の場合は晴天であれば約３日で乾燥し人工土壌となる。なお、古紙と木材屑と腐葉土との割合を適宜変更できることは前記第一実施形態と同様である。
【００１４】
図１は本発明の第三実施形態を示す部分断面図であり、芝種を蒔いて生育させた状態を示している。図１において、１は芝種と製材屑と砂よりなる表土層であり、２は人工土壌、３は発泡粒よりなる透水層、５は栽培容器であり、人工土壌２を用いた緑化方法は次のとおりである。
【００１５】
栽培容器５は、通常は硬質プラスチックで成形されるが、軟質プラスチック、発泡樹脂材料、又は生分解性材料を用いることも可能であり、施工される場所や用途に応じて適宜に材料を使い分けることができる。前記栽培容器５は内部に人工土壌２等を充填できるよう有底の立方体に形成されており、底面５１と該底面５１より立設した４面の側壁５２よりなり、上部は開放されている。また、底面５１と側面５２に囲まれた部分の内部には、表土層１、人工土壌２及び透水層３を積層できる空間が設けられている。なお、栽培容器５に溜まった水を排水するために、底面５１及び／又は側面５２の適宜箇所に１乃至複数個の排水孔（図示せず）を設けてもよい。その形状は、水分が通過するために必要な開口が設けられておればよく、例えば、円形、方形、スリット状等が適用できる。
【００１６】
栽培容器５の内部底部には、発泡粒よりなる透水層３を約３０ｍｍ厚さで配設する。発泡粒としては、ガラス、セラミック又はプラスチック等を主原料とし、これに発泡剤を添加して発泡粒としたものを用いる。本実施形態では、ガラス系の発泡粒であるｎｅｗプリセラム（商品名：日本フネン株式会社製）を用いている。ｎｅｗプリセラムは、家庭から排出された廃ガラスビンを主原料として、少量の発泡剤を添加し高温で溶融・発泡させた軽石状の完全無機質材である。本商品は、耐薬品性があり無臭・無菌で、嵩比重は０．３〜０．４と非常に軽量である。また、土の固結を防ぎ、排水性・通気性を促進し、植物の根腐れや病気予防に適しているため、特にルーフガーデンやベランダガーデンの軽量化に適している。
【００１７】
前記透水層３の上部には、前記した人工土壌２を約３０ｍｍの厚さで配設し、この人工土壌２の上部に表土層１を約１０ｍｍの厚さで配設する。表土層１は、芝種、製材屑の粉、砂を所定割合で混合して形成する。例えば、１０ｍｍの厚さで１平方メートルの表土層１を形成するために必要な割合は、芝種１４０ｇ、製材屑の粉１４００ｇ、砂１４００ｇである。芝種はベントグラスを用いているが、日本芝（高麗芝など）または西洋芝（ベントグラス、バミューダグラスなど）のいずれでも良く、気候に左右されるもの、種蒔き又は移植に適している等の適性があるので、用途や場所に適したものを選択して用いる。製材屑の粉は、０．８ｍｍ程度に粉砕されているので、これをそのまま用いる。砂は篩などを用いて貝殻、小石等を取り除いて使用する。
【００１８】
前記芝種（ベントグラス）、製材屑の粉、砂を混合して約１０ｍｍ厚さで人工土壌２の上に蒔き、水と肥料を適量与える。芝種より栽培する場合は、夏期と冬期で多少発芽の違いはあるものの、通常は約２週間で発芽する。なお、芝生６は芝種から生育しても良いが、他の場所で生育させた芝生６を張り替える（移植）ことも可能である。いずれにしても、芝生６の生育に必要な養分を蓄える人工土壌２の量は、重量を軽くするために芝生６が必要とする最小限の量に抑えるようにする。
【００１９】
従って、芝生６に必要な水分を適切な条件で確保するためには、人工土壌２の量は充分とはいえない場合があるので、その不足部分を補って、親水性と保水性を有する発泡粒の透水層３が、従来使用されている土に比べてはるかに軽い保水層の働きをしている。この透水層３は、発泡によって形成された連続する気泡を有しているので、外表面は水を弾くことがなく、透水性と保水性を兼ね備え、保水の点からは充分に自然土に変わり得るものである。そして、養分と水分が充分であれば、芝生６の根は成長して人工土壌２を通過して発泡粒の透水層３内に入り込む。なお、発泡粒からなる透水層３は、断熱性を有しているので、屋上に照り付ける太陽熱を遮蔽することができる。
【００２０】
図２は本発明の第四実施形態を示す部分断面図であり、芝種を蒔いて生育させた状態の実施形態を示している。図２において、１は芝種と製材屑と砂よりなる表土層であり、２は人工土壌、３は発泡粒よりなる透水層、４は透水性シート、５は栽培容器であり、人工土壌２を用いた緑化方法は次のとおりである。栽培容器５は、前記第三実施形態と同様に、通常は硬質プラスチックを用いるが、軟質プラスチック、発泡樹脂材料、又は生分解性材料を用いることも可能であり、施工する場所や用途に応じて適宜に材料を使い分けることができる。栽培容器５は内部に人工土壌２等を充填できるよう有底の立方体に形成されており、底面５１と該底面５１より立設した４面の側壁５２よりなり、上部は開放されている。また、底面５１と側面５２に囲まれた部分の内部には、表土層１、人工土壌２及び透水層３を積層できる空間が設けられている。なお、栽培容器５に溜まった水を排水するために、底面５１及び／又は側面５２の適宜箇所に１乃至複数個の排水孔（図示せず）を設けてもよい。その形状は、水分が通過するために必要な開口が設けられておればよく、例えば、円形、方形、スリット状等が適用できる。
【００２１】
栽培容器５の内面の底部には、前記第三実施形態と同様に、発泡粒よりなる透水層３を約３０ｍｍの厚さで配設する。発泡粒としては、ガラス、セラミック又はプラスチック等を主原料とし、これに発泡剤を添加して発泡粒としたものを用いることができる。本実施形態では、ガラス系の発泡粒であるｎｅｗプリセラム（商品名：日本フネン株式会社製）を用いている。ｎｅｗプリセラムは、家庭から排出された廃ガラスビンを主原料として、少量の発泡剤を添加し高温で溶融・発泡させた軽石状の完全無機質材である。本商品は耐薬品性があり無臭・無菌で、嵩比重は０．３〜０．４と非常に軽量である。また、土の固結を防ぎ、排水性・通気性を促進し、植物の根腐れや病気予防に適しているため、特にルーフガーデンやベランダガーデンの軽量化に適している。
【００２２】
前記透水層３の上部には、透水性シート４を透水層３の全面にわたって被せる。透水性シート４は柔軟性のある０．２〜０．３ｍｍ厚さで、水分および芝生の根が通過できるナイロン製シートを用いている。なお、ナイロン製シート以外に、プラスチック製又は他の材質の不織布、細目の金網等、芝生の根に負けない強度を有すると共に透水性を有する材料であればよい。透水性シート４は、水分及び芝生６の根は通過するが、人工土壌２は通過しないように形成されており、人工土壌２と発泡粒よりなる透水層３を遮蔽して混ざらないようにしている。また、後述するように、芝生６が充分に生育した後に、透水性シート４より上部部分（透水性シート４、人工土壌２及び表土層１）を持ち上げて剥離すると、芝生マット７を形成することができる。
【００２３】
透水性シート４の上部には、前記した人工土壌２を約３０ｍｍの厚さで配設し、その人工土壌の上部に表土層１を約１０ｍｍの厚さで配設する。表土層１は、芝種、製材屑の粉、砂を所定割合で混合して形成する。例えば、１０ｍｍの地層厚さで１平方メートルの表土層１を形成するために必要な割合は、芝種１４０ｇ、製材屑の粉１４００ｇ、砂１４００ｇである。芝種はベントグラスを用いているが、日本芝（高麗芝など）または西洋芝（ベントグラス、バミューダグラスなど）のいずれでも良く、気候に左右されるもの、種蒔き又は移植などの適性があるので、用途や場所に適したものを適宜用いる。製材屑の粉は０．８ｍｍ程度に粉砕されているので、これをそのまま用いる。砂は篩などを用いて貝殻、小石等を取り除いて使用する。
【００２４】
前記芝種（ベントグラス）、製材屑の粉、砂を混合して約１０ｍｍ厚さで人工土壌２の上に蒔き、水と肥料を適量与える。芝種より栽培する場合は、夏期と冬期で多少発芽の違いはあるものの、通常は約２週間で発芽する。なお、芝生６は芝種から生育しても良いが、他の場所で生育させた芝生６を張り替える（移植）ことも可能である。いずれにしても、芝生６の生育に必要な養分を蓄える人工土壌２の量は、重量を軽くするために芝生６が必要とする最小限の量に抑えられている。
【００２５】
従って、芝生６に必要な水分を適切な条件で確保するためには、人工土壌２の量は充分とはいえない場合があるので、その不足部分を補って、親水性と保水性を有する発泡粒の透水層３が、従来使用されている自然土に比べてはるかに軽い保水層の働きをしている。この透水層３は、発泡によって形成された連続する気泡を有しているので、外表面は水を弾くことがなく、透水性と保水性を兼ね備え、保水の点からは充分に自然土に変わり得るものである。そして、養分と水分が充分であれば、芝生６の根は成長して人工土壌２を通過して発泡粒の透水層３内に入り込む。
【００２６】
図３は、裁断された古紙の模式的部分拡大図である。古紙は、幅３ｍｍ、長さ３０ｍｍ程度に裁断されている。木材屑は、粉状の製材屑はそのまま用い、カンナ屑は５０〜８０ｍｍに裁断し、端材や樹皮等については３ｍｍ〜８ｍｍに破砕する。次に裁断または破砕された古紙と木材屑と腐葉土とを所定の割合で攪拌機に投入し、水を加えながら攪拌した後、約１週間水槽内で水漬けする。次に脱水機で水分を取り除き、ブルーシート等の上によく解しながら広げて乾燥させる。そして、自然乾燥の場合は晴天であれば約３日で乾燥し人工土壌２となる。図３は、この人工土壌３において、裁断された古紙の混ざり具合を模式的に表したものであり、幅３ｍｍ、長さ３０ｍｍ程度に裁断された古紙が、相互に交叉して連続する微小な空間を形成しながら絡まっている。古紙は保水性（吸水性、浸水性など）を有するセルローズ繊維を使用しているので、植物栽培等に不可欠な水を確保する作用を呈していると共に、微小空間により通気性を確保する機能をも有している。
【００２７】
図４は、本発明の第四実施形態を用いた緑化方法の施工状態を示した一部平面図である。これにより緑化される場所は、例えば、建物の屋上やベランダ等である。図４において、例えば、１０は建物のコンクリートスラブの屋上であり、１１は立上り部であり、５は栽培容器である。栽培容器５の内部には、第三実施形態又は第四実施形態で示したように、発泡粒よりなる透水層３、人工土壌２及び表土層１が順次に積層されており、表土層１の表面には、芝生６が生育している。そして、栽培容器５は硬質プラスチック製であり、縦３７０ｍｍ、横２６０ｍｍ、高さ７０ｍｍの方形に形成されている。栽培容器５の表土層１に蒔かれた芝種は農園等で栽培され、芝生６が１５ｍｍ〜２０ｍｍに成長したときに、手押し台車等に栽培容器５を積載して、建物の１階からエレベータ等を使用して屋上１０に搬入される。屋上１０に搬入された栽培容器５は、コンクリートスラブの屋上５に隙間なく敷きつめられる。前記栽培容器５は３７０ｍｍ×２６０ｍｍに形成されているので、縦横に１０個敷きつめると屋上１０の緑化を１平方メートル施工することができる。また、栽培容器５を軟質プラスチック（発泡樹脂を含む）で形成して施工すると、施工後に、人が芝生の上を歩いたときに、足裏で栽培容器５を踏んだとしても、軟質プラスチックの柔軟性により足裏に違和感を感じることなくなく歩行することができる。また、栽培容器５に生分解性材料（例えば、生分解性植物、生分解性樹脂など）を使用すれば、施工後一定期間が経過すると、敷きつめられた栽培容器５の側面同士が風化・融合して一体化した緑化スペースが形成される。また、栽培容器５の側面または底面に排水孔（図示せず）を設けたものを使用すれば、降水等により保水限度を超えた水は、栽培容器５の側面又は底面からコンクリートスラブの屋上に排水される。これにより芝生の根腐されを防止することができる。
【００２８】
上述したように、栽培容器５を屋上１０のコンクリートスラブに敷きつめてもよいが、適宜な場所に必要な数だけ敷きつめることにより、部分的に緑化することができる。また、縦３７０ｍｍ、横２６０ｍｍ、高さ７０ｍｍの容器内に表土層１、人工土壌２、透水層３が積層された栽培容器５は、１個当り重量が約２．５ｋｇと非常に軽量であるから手等で持ち運び移動させるこことが可能であるため、模様がえを容易に行うことができる。また、円形、半円形、楕円形などに形成した栽培容器を組み合わせることにより、様々なレイアウトの緑化スペースを形成することができる。
【００２９】
図５は、本発明の他の実施形態を示す断面図である。本実施形態では栽培容器に変えて植木鉢１２に植物１３を植栽している。植木鉢１２の内部には、上部側より、製材屑と砂よりなる表土層１ａ、人工土壌２、発泡粒よりなる透水層３が積層されている。表土層１ａは１０ｍｍ程度の厚さとし、人工土壌２と透水層３は、植木鉢１２の深さにより適宜変更させる必要があるが、通常は人工土壌２と透水層３を同じ厚さに積層すればよい。しかし、植栽する植物１３の種類に応じて、人工土壌２の割合を透水層３より多くするなど適宜変更することが可能である。これにより、従来の自然土を用いた植木鉢１２に比べ、約６０％軽量化が可能となるので、女性や老人等でも移動が容易になるだけでなく、ルーフガーデンやベランダガーデンの軽量化、フェンス等へのハンギングにも適用できる。
【００３０】
図６は、本発明の他の実施形態を示す芝生マット７の斜視図である。芝生マット７は以下のようにして形成される。まず、図２の第四実施形態に示す方法で芝生６を植栽する。すなわち、図２において、１は芝種と製材屑と砂よりなる表土層であり、２は人工土壌、３は発泡粒よりなる透水層、４は透水性シート、５は栽培容器である。栽培容器５は、硬質プラスチックを用い、内部に人工土壌２等を充填できるよう有底の立方体に形成されており、底面５１と、該底面５１より立設した分解・組立が可能な４面の側壁５２よりなり、上部は開放されている。また、底面５１と側面５２に囲まれた部分の内部には、表土層１、人工土壌２及び透水層３を積層できる空間が設けられている。なお、栽培容器５に溜まった水を排水するために、底面５１及び／又は側面５２の適宜箇所に１乃至複数個の排水孔（図示せず）を設けてもよい。
【００３１】
栽培容器５の内部の底部には、発泡粒よりなる透水層３を約３０ｍｍの厚さで配設する。発泡粒としては、ガラス、セラミック又はプラスチック等を主原料とし、これに発泡剤を添加して発泡粒としたものを用いることができる。本実施形態では、ガラス系の発泡粒であるｎｅｗプリセラム（商品名：日本フネン株式会社製）を用いている。
【００３２】
前記透水層３の上部には、透水性シート４を透水層３の全面にわたって被せる。透水性シート４は柔軟性のある０．２〜０．３ｍｍ厚さで、水分および芝生６の根が通過できるナイロン製シートを用いている。なお、ナイロン製シート以外に、プラスチック製又は他の材質の不織布、細目の金網等、芝生６の根に負けない強度をもつと共に透水性を有する材料であればよい。透水性シート４は、水分及び芝生６の根は通過するが、人工土壌２は通過しないように形成されており、人工土壌２と発泡粒よりなる透水層３が混ざらないようにするために設けられている。
【００３３】
透水性シート４の上部には、前記した人工土壌２を約３０ｍｍの厚さで配設し、その人工土壌２の上部に表土層１を約１０ｍｍの厚さで配設する。表土層１は、芝種、製材屑の粉、砂を所定割合で混合して形成する。芝種はベントグラスを用いているが、日本芝（高麗芝など）または西洋芝（ベントグラス、バミューダグラスなど）のいずれでも良く、気候に左右されるもの、種蒔き又は移植に適したものがあるので、用途や場所に応じて選択して用いる。製材屑の粉は、０．８ｍｍ程度に粉砕されているので、これをそのまま用いる。砂は篩などを用いて貝殻、小石等を取り除いて使用する。
【００３４】
前記芝種（ベントグラス）、製材屑の粉、砂を混合して約１０ｍｍ厚さで人工土壌２の上に蒔き、水及び肥料を適量与える。芝種より栽培する場合は、夏期と冬期で多少発芽の違いはあるものの、通常は約２週間で発芽する。なお、芝生６は芝種から生育しても良いが、他の場所で生育させた芝生６を張り替える（移植）ことも可能である。いずれにしても、芝生６の生育に必要な養分を蓄える人工土壌の量は、重量を軽くするために芝生６が必要とする最小限の量に抑えられている。
【００３５】
従って、芝生６に必要な水分を適切な条件で確保するためには、人工土壌２の量は充分とはいえない場合もあるので、その不足部分を補って、親水性と保水性を有する発泡粒の透水層３が、従来使用されている自然土に比べてはるかに軽い保水層の働きをしている。この透水層３は、発泡によって形成された連続する気泡を有しているので、外表面は水を弾くことがなく、透水性と保水性を兼ね備え、保水の点からは充分に土に変わり得るものである。そして、養分と水分が充分であれば、芝生６の根は成長して人工土壌２を通過して発泡粒の透水層３内に入り込む。芝生６の根が充分に張り、透水層３に達するようになったときに、栽培容器５の側壁を分解すると、栽培容器５の底面上に、表土層１、人工土壌２、透水層３が積層された状態で露出する。そこで、手等で透水性シート４より上部部分（透水性シート４、人工土壌２及び表土層１）を持ち上げて剥離すると、芝生マット７を形成することができる。この芝生マット７は、建物の屋上１０等に設置された栽培容器５の芝生６が枯れた場合の取替用に用いることができ、また、天然土等の上に載置して植栽することもできる。
【実施例１】
【００３６】
本発明の実施形態に基づいて、芝種の生育実験を行ったので、その条件と結果を以下に示す。
＜栽培条件＞
栽培容器  縦３７０ｍｍ、横２６０ｍｍ、高さ７０ｍｍ。
表土層    １０ｍｍ（ベントグラス、製材屑の粉、砂の混合物）。
人工土壌  ３０ｍｍ（裁断された古紙、粉砕された木材屑、腐葉土の混合物）。
透水性シート  ０．２ｍｍ厚さのナイロン製透水性シート。
透水層    ３０ｍｍ（ｎｅｗプリセラム、商品名：日本フネン株式会社製）。
潅水及び施肥  潅水は５〜７日に１回、施肥は播種時と、その後１ヶ月に１回。
＜発芽状況＞
２００３年９月１１日  ベントグラスを播種。
２００３年９月２５日  ベントグラスが発芽。
２００３年１２月１５日  ベントグラスの根が３０ｍｍの人工土壌に根張りしている。
２００４年１月１４日  ベントグラスの根がナイロン製シートを通過し、透水層に達している。また、この時点で、芝生は１５ｍｍ〜２０ｍｍに生育している。
【産業上の利用可能性】
【００３７】
本発明は、古紙、製材屑、カンナ屑、樹皮を再生資材として用いた人工土壌であり、自然土と比べ軽量化が可能である、従って、軽量化が必要な建物の屋上やベランダの緑化、ハンギング用植木鉢の用土等に用いることができる。また、一般の植木鉢等の土としても用いることができる。
【図面の簡単な説明】
【００３８】
【図１】本発明の第三実施形態を示す部分拡大断面図である。
【図２】本発明の第四実施形態を示す部分拡大断面図である。
【図３】本発明の第一実施形態における、裁断された古紙の模式的部分拡大図である。
【図４】本発明の第四実施形態による緑化方法の施工状態を示した一部平面図である。
【図５】本発明の他の実施形態を示す植木鉢の断面図である。
【図６】本発明の他の実施形態を示す芝生マットの斜視図である。
【符号の説明】
【００３９】
１  表土層
２  人工土壌
３  透水層
４  透水性シート
５  栽培容器
６  芝生
７  芝生マット
１０  屋上
１１  立上り部
１２  植木鉢
１３  植物
５１  底面
５２  側面
【図１】
2005237256.tif 000003
【図２】
2005237256.tif 000004
【図３】
2005237256.tif 000005
【図４】
2005237256.tif 000006
【図５】
2005237256.tif 000007
【図６】
2005237256.tif 000008